(57)【要約】【課題】吊り下げに伴う被吊下物の部分変形を抑えながら、被吊下物の内側からの優しく、落下し難い自重吊下が可能で、しかもアーム部に過剰な外力が作用してもアーム部が破損し難いとともに、股上が浅いボトムスへの使用も可能なＸ字型アーム式ハンガーを提供する。【解決手段】Ｘ字型アーム式ハンガー１０は、横長な本体部１１と、本体部１１の長さ方向の中間部に、上方へ突設されたフック部１２と、本体部１１の長さ方向の両端部に各基端部がそれぞれ軸支され、かつそれぞれが本体部１１の長さより長いとともに、Ｘ字状に交差配置された前後一対のアーム部１３，１４とを備えている。そのため、各アーム部１３，１４の先端部を、ビンテージジーンズ２３の腰周り部分２４の内側に当接して、これを自重により吊り下げることができる。【選択図】図１
2020092766.tif 000002
【特許請求の範囲】
【請求項１】
横長な本体部と、
該本体部の長さ方向の中間部に、上方へ突設されたフック部と、
前記本体部の長さ方向の両端部に各基端部がそれぞれ垂直回動自在に軸支され、かつそれぞれが前記本体部の長さより長いとともに、Ｘ字状に交差配置された前後一対のアーム部とを備え、
前記前後一対のアーム部の各先端部を、被吊下物が有する袋状部分の内側にそれぞれ当接した状態で、該被吊下物を自重によって吊り下げるように構成したことを特徴とするＸ字型アーム式ハンガー。
【請求項２】
前記前後一対のアーム部のそれぞれの長さ方向が前記本体部の長さ方向と一致する位置より下方へ回動しないように、対応するアーム部の回動をそれぞれ規制する一対の回動規制構造体を有したことを特徴とする請求項１に記載のＸ字型アーム式ハンガー。
【請求項３】
前記前後一対のアーム部の先端部を、５°〜４５°だけ下方へ屈曲したことを特徴とする請求項２に記載のＸ字型アーム式ハンガー。
【請求項４】
前記本体部から前記フック部の先端までの高さを調整するフック部高さ調整構造体を有したことを特徴とする請求項１〜請求項３のうち、何れか１項に記載のＸ字型アーム式ハンガー。
【発明の詳細な説明】
【技術分野】
【０００１】
本発明は、衣類やバッグ等の被吊下物、特に傷み易いビンテージジーンズの吊り下げに好適なハンガーに関する。
【背景技術】
【０００２】
従来、ズボンを吊り下げるハンガーとして、例えば、特許文献１のように、水平方向にアーム状に延びた本体部の長さ方向の両端部に左右一対のクリップが配されて、本体部の長さ方向の中間部にフック状の吊下部が突設されたものが知られている。このハンガーは、ズボンの腰周り部分を左右のクリップにより挟んで使用する。
【０００３】
また、別のハンガーとして、例えば、水平方向へアーム状に延びた本体部と、本体部の長さ方向の両端からばね力により突没自在な左右一対の内当て支持部と、本体部の長さ方向の中間部に突設されたフック部とを有したものも知られている。この別のハンガーは、ばね力に抗して、各内当て支持部を本体部の対応する端部に引き込ませ、この状態でズボンの腰周り部分に本体部を挿入してばね力を開放し、そのばね力で本体部の両端から突出した一対のアーム部により、ズボンの腰周りを内方から弾性支持するものである。
【先行技術文献】
【特許文献】
【０００４】
【特許文献１】実用新案登録第３０２４３８５号公報
【発明の開示】
【発明が解決しようとする課題】
【０００５】
しかしながら、特許文献１のハンガーは、一対のクリップにより腰周りの両側部分を挟んでズボンを吊り下げていた。そのため、ズボンの腰周り部分のうち、各クリップにより挟持された部分が損傷し易いという問題点があった。
また、別のハンガーでは、本体部の両端から突出した一対のアーム部を用いて、ズボンの腰周り部分を内方から弾性支持していた。そのため、使用時、ハンガーによってズボンの腰周り部分を無理やり外方へ突っ張ることとなり、使用中に腰周り部分が伸びてズボンが変形するおそれがあった。しかも、ズボンが自重で落下したり、各アーム部の当接部分にズボン全体の荷重が集中し、摩擦で生地が損傷するおそれもあった。これらの課題は、ズボンがビンテージジーンズの場合、さらに顕著となっていた。
【０００６】
本発明は、このような問題点に鑑みなされたもので、吊り下げに伴う被吊下物の部分的な変形を抑えながら、自重を利用して被吊下物を内側から優しくかつ落下し難い吊り下げが可能で、しかも各アーム部に過剰な外力が作用してもアーム部が破損し難いとともに、１本のハンガーで股上が深いものと浅いものの両方のボトムスに対応可能なＸ字型アーム式ハンガーを提供することを目的としている。
【課題を解決するための手段】
【０００７】
請求項１に記載の発明は、横長な本体部と、該本体部の長さ方向の中間部に、上方へ突設されたフック部と、前記本体部の長さ方向の両端部に各基端部がそれぞれ垂直回動自在に軸支され、かつそれぞれが前記本体部の長さより長いとともに、Ｘ字状に交差配置された前後一対のアーム部とを備え、前記前後一対のアーム部の各先端部を、被吊下物が有する袋状部分の内側にそれぞれ当接した状態で、該被吊下物を自重によって吊り下げるように構成したことを特徴とするＸ字型アーム式ハンガーである。
【０００８】
ここでいう“Ｘ字型アーム式ハンガー”とは、Ｘ状に交差配置される前後一対のアーム部を有し、かつ自重を利用して被吊下物を内側から支持（掛止）して吊り下げ可能なものである。
被吊下物としては、各アーム部が内側に引っ掛けられる袋状部分を有していれば任意である。例えば、衣類（各種のトップス、各種のボトムス等）の他に、各種のバッグ類等でもよい。特に、傷み易いビンテージジーンズが好適である。
被吊下物における袋状部分の部位は限定されない。例えば、被吊下物がボトムスの場合、袋状部分としてはボトムスの腰周り部分等が挙げられる。また、被吊下物がトップスの場合、袋状部分としては襟周り部分や肩周り部分等が挙げられる。さらに、被吊下物がバッグの場合、袋状部分としてはバッグの開口部分等が挙げられる。
【０００９】
本体部や各アーム部の素材は任意である。例えば、各種の木、各種のプラスチック、各種の金属などを採用することができる。
本体部の長さは、被吊下物の袋状部分の開口サイズより小さければ任意である。
フック部とは、例えば、ハンガーラックの吊り棒や壁の吊り金具等に、Ｘ字型アーム式ハンガーを引っ掛けるための部材である。
フック部の形状やサイズは任意である。
【００１０】
各アーム部としては、例えば、棒材または板材などを採用することができる。
各アーム部の長さは、本体部の長さよりそれぞれ長ければよい。
また、各アーム部の先端間の最大長さ（各アーム部が直線配置されたときの先端間の長さ）は、被吊下物の袋状部分の長さ（袋状部分を左右方向（前後方向）から押し潰したときの長さ）より長ければよい。例えば、袋状部分の長さの１．１倍〜１．５倍でもよい。
【００１１】
各アーム部の先端面には、被吊下物の袋状部分に対する滑り止め部を配設してもよい。滑り止め部の種類は限定されない。例えば、所定形状の滑り止め突起（ゴム製、軟質プラスチック製の突起等）を採用することができる。その他、各アーム部の先端面に凹部（溝を含む）を形成するだけでもよい。
また、各アーム部の先端部を下方へ屈曲させてもよい。このときの屈曲角度は任意である。
各アーム部の軸支構造は任意である。例えば、ピン軸やボルト軸を有したものを採用することができる。
各アーム部の少なくとも使用時における、Ｘ字状の交差角度は限定されない。
【００１２】
請求項２に記載の発明は、前記前後一対のアーム部のそれぞれの長さ方向が前記本体部の長さ方向と一致する位置より下方へ回動しないように、対応するアーム部の回動をそれぞれ規制する一対の回動規制構造体を有したことを特徴とする請求項１に記載のＸ字型アーム式ハンガーである。
【００１３】
回動規制構造体の構造や、その取り付け位置等は任意である。例えば、本体部の長さ方向の両端部、各アーム部の基端部の何れか一方に配された規制突起と、その残った方（他方）に配されて、アーム部の回動に伴ってその規制突起が円弧状にスライドする円弧状ガイド溝とを有したもの等でもよい。
その他、各アーム部をフック部の首下部にスライドリングを介してスライド自在に取り付け、かつ首下部の上部と下部とにスライドリングの上限および下限を決定する上下一対のストッパを配したものでもよい。この場合、各アーム部に下向きの大きな外力が作用しても、その力がスライドリングを介して分散されるため、各アーム部の強度を高めることができる。
【００１４】
請求項３に記載の発明は、前記前後一対のアーム部の先端部を、５°〜４５°だけ下方へ屈曲させたことを特徴とする請求項２に記載のＸ字型アーム式ハンガーである。
【００１５】
各アーム部の先端部の屈曲角度が５°未満では、各アーム部の先端部を屈曲させる効果が小さい。また、４５°を超えれば、一対のアーム部の下方回動を、左右一対の回動規制構造体の作用により、対応するアーム長さ方向が本体部の長さ方向と一致する位置に止めて、Ｘ字型アーム式ハンガーを一般的な洋服ハンガーとして例えば上着を掛けた際において、上着の（特に両肩部分の）型崩れの防止効果が低下する。
【００１６】
各アーム部の先端部の好ましい下方への屈曲角度は、１０°〜３０°である。この範囲であれば、Ｘ字型アーム式ハンガーを一般的な洋服ハンガーとして使用した際の、上着の両肩部分のフォルムをより自然に近づけて上着の型崩れをさらに防止できるとともに、このハンガーにズボンを吊り下げた際も、各アーム部の先端部をより以上に水平にして、ズボンの腰周り部分の内側に各アーム部の先端部をさらにしっかりと押し当てることができる。さらには、各アーム部の先端部をズボンの腰周りの開口に対してより以上に平行にして、使用時のＸ字型アーム式ハンガーの高さをさらに低くすることもできる。
【００１７】
請求項４に記載の発明は、前記本体部から前記フック部の先端までの高さを調整するフック部高さ調整構造体を有したことを特徴とする請求項１〜請求項３のうち、何れか１項に記載のＸ字型アーム式ハンガーである。
【００１８】
フック部高さ調整構造体の構造は任意である。例えば、フック部の首下部をねじ部とし、本体部の長さ方向の中間部に、ねじ部が螺合されるナットを配したものなどを採用することができる。その他、フック部の首下部をシャフトとし、本体部の長さ方向の中間部に、シャフトの昇降を規制する各種のストッパ構造体を設けてもよい。また、この首下部を複数段に折り畳まれる伸縮式のテレスコピック構造としてもよい。
【発明の効果】
【００１９】
本発明のＸ字型アーム式ハンガーによれば、Ｘ字状に交差配置された前後一対のアーム部を同時または一方ずつ下方回動させ、各アーム部によるＸ字の開きを無くした状態で、本体部とともに各アーム部を被吊下物の袋状部分の中へと差し込む。その後、被吊下物の内部空間で各アーム部をＸ字状に広げ、この袋状部分の両端部の内側に、対応するアーム部の先端をそれぞれ当接することで、自重を利用して被吊下物を内側から優しく、かつ落下し難い状態で吊り下げることができる。
しかも、このように前後一対のアーム部は、Ｘ字状に交差配置されて本体部にそれぞれ軸支されているため、仮に各アーム部に下方への外力が作用しても破損し難いとともに、例えば、Ｖ字配置された２本のアーム部を有するＶ字型アーム式ハンガーでは対応が難しい、１本のハンガーで股上が深いものと浅いものの両方のボトムスに対して、良好に対応することができる。
【００２０】
特に、請求項２に記載の発明によれば、まず、一方の手でフック部を握り、他方の手で被吊下物の袋状部分の一端部を握る。その後、握ったままの状態で一方の手を動かし、一方のアーム部の先端を袋状部分の他端部の内側に押し当てる。その後、押し当てたまま一方の手を押し下げ、本体部を袋状部分の中へと押し込む。この押し込みに伴って、他方のアーム部が上方へ回動しながら袋状部分の中へと差し込まれる。この差し込み途中で、他方のアーム部の先端を袋状部分の一端部の内側に押し当てて袋状部分の一端部から他方の手を離す。これにより、被吊下物の袋状部分が、その内方から、一対のアーム部を介して、被吊下物の自重によりＸ字型アーム式ハンガーに掛止される。
【００２１】
このように、Ｘ字型アーム式ハンガーに左右一対の回動規制構造体を配して、各アーム部の下方回動を、対応するアーム長さ方向が本体部の長さ方向と一致する位置までに規制したため、上述した簡単なＸ字型アーム式ハンガーの使い方が可能となる。すなわち、各アーム部と本体部とをいったん袋状部分の中へ押し込んでから、この被吊下物の内部空間で、各アーム部を１本ずつ上方回動してＸ字状に広げるといった手間のかかる作業が不要となる。その結果、被吊下物をさらに簡単かつ確実にＸ字型アーム式ハンガーに吊り下げることができる。
【００２２】
また、上述したように一対のアーム部の下方回動は、左右一対の回動規制構造体の作用により、対応するアーム長さ方向が本体部の長さ方向と一致する位置でそれぞれ停止する。このとき、各アーム部は本体部の長さよりそれぞれ長いことから、各アーム部の先端部は、水平な本体部の左右両側方に突出状態で配置され、Ｘ字型アーム式ハンガーは一般的な洋服ハンガーと略同じ外観形状となる。
そのため、このＸ字型アーム式ハンガーは、各アーム部の先端部を袋状部分の内側にそれぞれ当接した状態で被吊下物を吊り下げるだけでなく、一般的な洋服ハンガーと同様の使用方法で、洋服（例えばトップス）等を吊り下げることができる。
【００２３】
また、請求項３に記載の発明によれば、前後一対のアーム部の先端部を５°〜４５°だけ下方へ屈曲させたため、各回動規制構造体の作用により、左右一対のアーム部の下方回動を対応するアーム長さ方向が本体部の長さ方向と一致する位置に止めて、Ｘ字型アーム式ハンガーを一般的な洋服ハンガーとして例えば上着を掛けた際において、上着の両肩部分のフォルムを自然に近づけて上着の型崩れを防止することができる。
しかも、この効果に加えて、Ｘ字型アーム式ハンガーに例えばズボンを吊り下げた際には、各アーム部の先端部をできるだけ水平にして、ズボンの腰周り部分の内側に対して、各アーム部の先端部をしっかりと押し当てることができる。さらには、これらのアーム部の先端部をズボンの腰周りの開口に対してできるだけ平行にして、使用時のＸ字型アーム式ハンガーの高さを低くすることもでき、股上の低いズボンへの対応性がさらに高まる。
【００２４】
また、請求項４に記載の発明によれば、Ｘ字型アーム式ハンガーの使用時、被吊下物の袋状部分の開口から上方へ突出するフック部の高さを、フック部高さ調整構造体を使用して、各アーム部によるＸ字の開きの程度（各アーム部の上方回動の角度）に応じて調整することができる。
すなわち、袋状部分の開口からのフック部の高さ（本体部からフック部の先端までの長さ）は、袋状部分の開口サイズに応じて変化する各アーム部のＸ字の開き度により異なる。そこで、このＸ字の開き度に応じて、この本体部からフック部の先端までの高さをフック部高さ調整構造体により調整することで、常時、袋状部分の開口から上方へ突出するフック部の高さを一定に保持することができる。
【図面の簡単な説明】
【００２５】
【図１】本発明の実施例１に係るＸ字型アーム式ハンガーの使用状態を示す斜視図である。
【図２】本発明の実施例１に係るＸ字型アーム式ハンガーの別の使用状態を示す正面図である。
【図３】本発明の実施例１に係るＸ字型アーム式ハンガーにおいて、一方のアーム部をボトムスの腰部の一端部の内側に押し当てた状態を示す正面図である。
【図４】本発明の実施例１に係るＸ字型アーム式ハンガーにおいて、両方のアーム部をボトムスの内部空間に差し込んだ状態を示す正面図である。
【図５】本発明の実施例１に係るＸ字型アーム式ハンガーにおいて、両方のアーム部をボトムスの腰部の両端部の内側にそれぞれ押し当てた状態を示す正面図である。
【図６】本発明の実施例１に係るＸ字型アーム式ハンガーが股上の浅いボトムスの使用に支障がないことを説明する正面図である。
【発明を実施するための形態】
【００２６】
以下、本発明の実施例を具体的に説明する。ここでは、ビンテージジーンズ用のものを例にとる。なお、説明の都合上、Ｘ１方向をＸ字型アーム式ハンガーの前方向、Ｘ２方向をその後方向、Ｙ１方向をその左方向、Ｙ２方向をその右方向、Ｚ１方向を上方向、および、Ｚ２方向を下方向とする。
【実施例】
【００２７】
図１および図２において、１０は本発明の実施例１に係るＸ字型アーム式ハンガーで、このＸ字型アーム式ハンガー１０は、Ｙ１−Ｙ２方向（長さ方向）に延びる本体部１１と、本体部１１のＹ１−Ｙ２方向の中間部に、Ｚ１方向へ突設されたフック部１２と、本体部１１のＹ１−Ｙ２方向の両端部に各基端部がそれぞれ軸支され、かつそれぞれが本体部１１の長さより長尺で、かつ互いにＸ字状に交差配置された前アーム部１３および後アーム部１４とを備えたものである。
【００２８】
以下、これらの構成を具体的に説明する。
本体部１１は、長さ２０ｃｍのステンレス製の丸棒で、そのＹ１−Ｙ２方向の中間部には、軸線方向を上下方向（Ｚ１−Ｚ２方向）に向けた中間部ナット１５が固着されている。また、本体部１１のＹ１−Ｙ２方向の両端部には、各軸線方向を前後方向（Ｘ１−Ｘ２方向）に向けた左右一対の端部ナット１６がそれぞれ固着されている。さらに、本体部１１のＹ１側の端部付近のＸ２側面と、本体部１１のＹ２側の端部付近のＸ１側面とには、左右一対の短尺なアーム回動規制ピン１７が突設されている。
【００２９】
フック部１２は、下向きのＣ字状を有したＣ字掛け部１８と、Ｃ字掛け部１８の下端に一体形成された長さ１５ｃｍのねじ部１９とを有している。ねじ部１９の下部が中間部ナット１５に螺合されることで、フック部１２と本体部１１とが上下方向へ移動可能に連結されている。ねじ部１９の下端には、抜け止めナット２０が固着されている。また、ねじ部１９のうち、中間部ナット１５から下方に突出した領域には、蝶ナット２１が螺合されている。ねじ部１９を所定方向へ回転させることにより、中間部ナット１５からのＣ字掛け部１８の高さを変更し、その後、蝶ナット２１を回して締め付けることで、Ｃ字掛け部１８の変更後の高さを位置決めする。
これらのねじ部１９、中間部ナット１５、抜け止めナット２０および蝶ナット２１により、本体部１１に対して、フック部１２（Ｃ字掛け部１８）の高さを調整するフック部高さ調整構造体２２が構成される。
【００３０】
前後一対のアーム部１３，１４は、それぞれの先端部が下方に“への字状”に屈曲した長さ３４ｃｍの横長な木製の板材で（ここでは屈曲角度１５°）、互いの裏面同士を対峙させて本体部１１の前後側（Ｘ１−Ｘ２側）に配されている。このように、アーム部１３，１４の各先端部を下方に“への字状”に屈曲させた理由は、一対のアーム部１３，１４の下方回動を、左右一対の回動規制構造体３２の作用により、対応するアーム長さ方向が本体部１１の長さ方向と一致する位置に止めて、Ｘ字型アーム式ハンガー１０を一般的な洋服ハンガーとして上着Ｔを掛けた際に、上着Ｔの両肩部分のフォルムを自然に近づけて上着Ｔの型崩れを防止できるとともに（図２を参照）、これにビンテージジーンズ２３を吊り下げた際にあっては、アーム部１３，１４の各先端部をできるだけ水平にして、ビンテージジーンズ２３の腰周り部分２４の内側に対してアーム部１３，１４の各先端部をしっかりと押し当てられるようにするためである（（図５）を参照）。しかも、これらのアーム部１３，１４の各先端部を、ビンテージジーンズ２３の腰周りの開口とできるだけ平行にして、使用時のＸ字型アーム式ハンガー１０の高さ（アーム部１３，１４の高さ）をさらに低くし、股上の浅いズボンへの対応性をより以上に高めることもその理由の１つである。
【００３１】
また、各アーム部１３，１４の先端部は、ビンテージジーンズ２３の腰周り部分２４の内側との接触面積と強度とをそれぞれ高めるため、先端へ向かって徐々に厚肉化た先端肉厚部３０されている。各アーム部１３，１４の先端面には、ハンガー使用時、ビンテージジーンズ（被吊下物）２３の腰周り部分（袋状部分）２４の内側に押し当てた際の滑り止め突起２５が２つずつ配設されている。
また、各アーム部１３，１４の基端部の対峙側には、それぞれ円板状の厚肉部２６が一体形成されている。各アーム部１３，１４の基端部には、厚肉部２６の中心を貫通する左右一対の軸孔２７がそれぞれ形成されている。各軸孔２７と各端部ナット１６とには、一対のワッシャ２８を介して、短尺なボルト軸２９がそれぞれ挿通されて端部ナット１６により止められている。
【００３２】
さらにまた、円形の各厚肉部２６の対峙面（内側面）の外周部には、それぞれ正面視して時計の約３時から約５時までの領域に、対応するアーム回動規制ピン１７がそれぞれスライド自在に挿入される左右一対のアーム回動規制溝３１が形成されている（図１の部分拡大図を参照）。
これらの各アーム回動規制ピン１７と各アーム回動規制溝３１とによって、前後一対のアーム部１３，１４が、それぞれのアーム長さ方向が本体部１１の長さ方向と一致する水平位置より下方回動しないように規制する一対の回動規制構造体３２がそれぞれ構成される。
なお、各アーム部１３，１４の先端間の最大長さ（各アーム部１３，１４が水平配置された際の先端間の長さ）は、ビンテージジーンズ（被吊下物）２３の腰周り部分（袋状部分）２４を左右方向（前後方向）から押し潰したときの長さ（以下、腰周り部分２４の長さ）より長ければよい。ここでは、腰周り部分２４の長さの１．２倍である。
【００３３】
次に、図１〜図６を参照して、本発明の実施例１に係るＸ字型アーム式ハンガー１０の使用方法を説明する。
図１および図３〜図５に示すように、実施例１のＸ字型アーム式ハンガー１０の使用時には、まず、一方の手でフック部１２を握り、他方の手でビンテージジーンズ２３の腰周り部分２４の一端部を握る。その後、この状態で一方の手を動かし、前アーム部１３の先端をビンテージジーンズ２３の腰周り部分２４のＹ１側の端部の内面（内側）に、Ｙ１側の各滑り止め突起２５を介して押し当てる（図３を参照）。
【００３４】
この押し当て状態で一方の手を押し下げ、本体部１１を腰周り部分２４の中へと押し込む（図４を参照）。この押し込みに伴い、Ｙ２側のボルト軸２９を中心にして、後アーム部１４が上方へ回動しながら腰周り部分２４の中へと差し込まれる。もちろん、その際には、前アーム部１４もＹ１側のボルト軸２９を中心にして上方へ回動する。
この差し込み途中で、後アーム部１４の先端を腰周り部分２４のＹ２側の端部の内面（内側）に各滑り止め突起２５を介して押し当てる。その後、この状態のまま、腰周り部分２４の一端部から他方の手を離す。これにより、ビンテージジーンズ２３の腰周り部分２４が、その内方から、前後一対のアーム部１３，１４を介して、Ｘ字型アーム式ハンガー１０に自重で吊り下げられる（図５を参照）。
【００３５】
このように、実施例１では、Ｘ字状に交差配置された前後一対のアーム部１３，１４を同時または一方ずつ下方回動させ、各アーム部１３，１４によるＸ字の開きを無くした状態で、本体部１１とともに各アーム部１３，１４をビンテージジーンズ２３の腰周り部分２４の中へと差し込み、その後、この腰周り部分２４の両端部の内側に、対応するアーム部１３，１４の先端をそれぞれ当接することで、ビンテージジーンズ２３を吊り下げることができる。
これにより、吊り下げに伴う腰周り部分２４の部分的な変形を抑えながら、自重を利用してビンテージジーンズ２３を内側から優しくかつ落下し難い状態で吊り下げることができる。
しかも、このように前後一対のアーム部は、Ｘ字状に交差配置されて本体部にそれぞれ軸支されているため、仮に各アーム部に下方への外力が作用しても破損し難い。
【００３６】
また、図６に示すように、１本のＸ字型アーム式ハンガー１０を採用したため、股上が深いものと浅いものの両方のビンテージジーンズ２３に支障なく対応することができる。仮に、２本のアーム部がＶ字配置されたＶ字型アーム式ハンガーでは対応が難しい。
以下、この点を詳しく説明する。
図６に示すように、Ｘ字型アーム式ハンガー１０の場合、各アーム部１３，１４の傾斜角をαとすると、ハンガー全体の横幅（Ｙ１−Ｙ２方向の長さ）Ｌは、
Ｌ＝アーム部の長さ×ＣＯＳα×２−本体部の長さ            （数式１）
となる。
Ｖ字ハンガーの場合、各アーム部の傾斜角をαとすると、ハンガー全体の横幅Ｌ１は、
Ｌ１＝本体部の長さ＋アーム部の長さ×ＣＯＳα×２          （数式２）
となる。
【００３７】
股上の浅いビンテージジーンズをハンガーに掛ける場合、本体部から各アーム部の先端までの高さｈは、股上の深いビンテージジーンズの場合に比べて小さくなる。よって、その分だけ傾斜角αもハイライズのときより小さくなる。
数式１，２から判るように、Ｘ字型アーム式ハンガー１０の場合には、各アーム部１３，１４がＸ字状に配されているため、傾斜角αが小さくてもハンガー全体の横幅Ｌは、それほど長くならない。
一方、Ｖ字型アーム式ハンガーのときには、各アーム部が本体部との軸支部からそれぞれ外方へ突出している。そのため、傾斜角αが小さくなれば、ハンガー全体の横幅Ｌ１はＸ字型アーム式ハンガー１０の横幅Ｌに比べて長くなる。
ジーンズの着用者が同一人物であれば、股上が深いものと浅いものとに関係なく、着用するビンテージジーンズのウエスト（横幅）は略同一である。これに、ビンテージジーンズの腰周り部分の可変領域（伸縮幅）が小さいことを考慮すれば、Ｖ字型アーム式ハンガーの方がＸ字型アーム式ハンガー１０に比べて、股上が浅いビンテージジーンズへの対応性が劣ることは明らかである。このことは、本体部が存在せず、フック部１２の下端部に２本のアーム部がＶ字状に軸支されたＶ字型アーム式ハンガーの場合でも同じである。
【００３８】
また、この実施例１では、このようにＸ字型アーム式ハンガー１０に左右一対の回動規制構造体３２を配して、各アーム部１３，１４の下方回動を、対応するアーム長さ方向が本体部１１の長さ方向と一致する位置までに規制したため、上述した簡単なＸ字型アーム式ハンガー１０の使い方が可能となる。すなわち、本体部１１と各アーム部１３，１４とをいったん腰周り部分２４の中へ押し込んだ後、ビンテージジーンズ２３の内部空間で、各アーム部１３，１４を１本ずつ上方回動してＸ字状に広げるという操作が不要になる。これにより、ビンテージジーンズ２３をＸ字型アーム式ハンガー１０に、より簡単かつ確実に吊り下げることができる。
【００３９】
さらに、アーム部１３，１４の下方回動は、左右一対の回動規制構造体３２によって、対応するアーム長さ方向が本体部１１の長さ方向と一致する位置（水平位置）でそれぞれ停止する。このとき、各アーム部１３，１４は本体部１１の長さより長いことから、各アーム部１３，１４の先端部は、水平な本体部１１の左右両側方にそれぞれ突出した状態となる。よって、Ｘ字型アーム式ハンガー１０は、一般的な洋服ハンガーと略同じ外観形状となる（図２を参照）。
その結果、Ｘ字型アーム式ハンガー１０は、各アーム部１３，１４の先端部を腰周り部分２４の内側にそれぞれ当接した状態でビンテージジーンズ２３を吊り下げるだけでなく、一般的な洋服ハンガーと同様の使用方法で、シャツやジャケットといったトップスＴを吊り下げることができる。
【００４０】
さらにまた、Ｘ字型アーム式ハンガー１０の使用時、ビンテージジーンズ２３の腰周り部分２４の開口から上方へ突出するフック部１２の高さを、フック部高さ調整構造体２２を使用して、各アーム部１３，１４によるＸ字の開きの程度（各アーム部１３，１４の上方回動の角度）に応じて調整することができる（図１および図２を参照）。
すなわち、腰周り部分２４の開口からのフック部１２の高さ（本体部１１からフック部１２の先端までの長さ）は、腰周り部分２４の開口サイズに応じて変化する各アーム部１３，１４の“Ｘ字の開き度”により異なる。そこで、このＸ字の開き度に応じて、本体部１１を基準とするフック部１２の先端の高さを、フック部高さ調整構造体２２により調整することで、常時、腰周り部分２４の開口からのフック部１２の高さを一定に保持することができる。
【産業上の利用可能性】
【００４１】
本発明は、衣類やバッグ等の被吊下物、特に傷み易いビンテージジーンズの吊り下げに好適なハンガーの技術として有用である。
【符号の説明】
【００４２】
１０  Ｘ字型アーム式ハンガー
１１  本体部
１２  フック部
１３  前アーム部
１４  後アーム部
２２  フック部高さ調整構造体
２３  ビンテージジーンズ（被吊下物）
２４  腰周り部分（袋状部分）
３２  回動規制構造体
【図１】
2020092766.tif 000003
【図２】
2020092766.tif 000004
【図３】
2020092766.tif 000005
【図４】
2020092766.tif 000006
【図５】
2020092766.tif 000007
【図６】
2020092766.tif 000008
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
１本の横長な部材からなる本体部と、
該本体部の長さ方向の中間部に、上方へ突設されたフック部と、
前記本体部の長さ方向の両端部に各基端部がそれぞれ垂直回動自在に軸支され、かつそれぞれが前記本体部の長さより長いとともに、Ｘ字状に交差配置される前後一対のアーム部とを備え、
前記前後一対のアーム部は、互いの交差部分が軸支されておらず、かつ使用する際に、前記本体部より上方で上向きのＸ字状に交差配置されるもので、
前記前後一対のアーム部の各先端部を、ボトムスを含む被吊下物が有する袋状部分の内側にそれぞれ当接した状態で、該被吊下物を自重によって吊り下げるように構成したことを特徴とするＸ字型アーム式ハンガー。
【請求項２】
前記前後一対のアーム部のそれぞれの長さ方向が前記本体部の長さ方向と一致する位置より下方へ回動しないように、対応するアーム部の回動をそれぞれ規制する一対の回動規制構造体を有したことを特徴とする請求項１に記載のＸ字型アーム式ハンガー。
【請求項３】
前記前後一対のアーム部の先端部を、５°〜４５°だけ下方へ屈曲したことを特徴とする請求項２に記載のＸ字型アーム式ハンガー。
【請求項４】
前記本体部から前記フック部の先端までの高さを調整するフック部高さ調整構造体を有したことを特徴とする請求項１〜請求項３のうち、何れか１項に記載のＸ字型アーム式ハンガー。